(57)【特許請求の範囲】
【請求項１】
主機器と従機器とを備え、
前記各機器は、
情報の表示を行うための表示部と、
操作を入力するための操作部と、
前記操作部の照明を行うための手段と、
前記表示及び／あるいは照明に関する複数の項目について制御を行う手段と、
前記制御を行う手段において項目ごとに制御の内容を設定するための手段と、を備え、
前記主機器は、従機器の有無、或いは前記主機器から前記従機器に伝達される各項目ごとの設定内容についての前記主機器と前記従機器との連動／非連動に関わらず、前記主機器における前記項目ごとの制御の内容について、前記従機器に対して伝達するための手段を備え、
前記従機器は、前記各項目ごとの設定内容について連動／非連動の設定を行うことにより、前記主機器から伝達される前記主機器における項目ごとの設定内容に基づいて、前記制御を行うかどうかを選択するための連動選択手段を備えたことを特徴とする車載用電子機器。
【請求項２】
情報の表示を行うための表示部と、
操作を入力するための操作部と、
前記操作部の照明を行うための手段と、
前記表示及び／あるいは照明に関する複数の項目について制御を行う手段と、
前記制御を行う手段において項目ごとに制御の内容を設定するための手段と、を備え、
主機器として従機器と接続されるように構成され、
前記主機器は、従機器の有無、或いは前記主機器から前記従機器に伝達される各項目ごとの設定内容についての前記主機器と前記従機器との連動／非連動に関わらず、前記主機器における前記項目ごとの制御の内容について、前記従機器に対して伝達するための手段を備えたことを特徴とする車載用電子機器。
【請求項３】
情報の表示を行うための表示部と、操作を入力するための操作部と、前記操作部の照明を行うための手段と、前記表示及び照明のうち少なくとも一方に関する制御を行う手段と、前記制御の内容を設定するための手段と、を備え、
従機器として主機器と接続されるように構成され、
前記従機器は、前記各項目ごとの設定内容について連動／非連動の設定を行うことにより、前記主機器から伝達される前記主機器における項目ごとの設定内容に基づいて、前記制御を行うかどうかを選択するための連動選択手段を備えたことを特徴とする車載用電子機器。
【請求項４】
前記従機器は複数の候補から選択されるバックグラウンド表示内容を前記表示部に背景として表示する手段を備え、
前記複数の候補は、主機器の背景を選択する候補になく、主機器から伝達される設定内容と連動させるＬＩＮＫという候補を含み、
前記設定の内容は、どのバックグラウンド表示内容が選択さているかの情報を含むことを特徴とする請求項１から３のいずれか１つに記載の車載用電子機器。
【請求項５】
前記従機器は複数の候補から選択される色彩で各機器の前記操作部を照明する手段を備え、
前記複数の候補は、主機器の操作部の照明の色彩を選択する候補になく、主機器から伝達される設定内容と連動させるＬＩＮＫという候補を含み、
前記設定の内容は、どの前記色彩が選択さているかの情報を含むことを特徴とする請求項１から４のいずれか１つに記載の車載用電子機器。
【請求項６】
主機器と従機器の少なくとも一方を備え、
前記各機器は、
情報の表示を行うための表示部と、
操作を入力するための操作部と、
前記操作部の照明を行うための手段と、を備えた車載用電子機器の制御方法において、
前記各機器において、前記表示及び／あるいは照明に関する複数の項目について制御を行うステップと、
前記各機器において、前記制御の内容を項目ごとに設定するためのステップと、を含み、
前記主機器は、従機器の有無、或いは前記主機器から前記従機器に伝達される各項目ごとの設定内容についての前記主機器と前記従機器との連動／非連動に関わらず、前記主機器における前記項目ごとの制御の内容について、前記従機器に対して伝達するためのステップ、及び、前記従機器は、前記各項目ごとの設定内容について連動／非連動の設定を行うことにより、前記主機器から伝達される前記主機器における項目ごとの設定内容に基づいて、前記制御を行うかどうかを選択するためのステップのうち少なくとも一方を含むことを特徴とする車載用電子機器の制御方法。
【請求項７】
前記従機器は複数の候補から選択されるバックグラウンド表示内容を前記表示部に背景として表示するステップを含み、
前記複数の候補は、主機器の背景を選択する候補になく、主機器から伝達される設定内容と連動させるＬＩＮＫという候補を含み、
前記設定の内容は、どのバックグラウンド表示内容が選択さているかの情報を含むことを特徴とする請求項６記載の車載用電子機器の制御方法。
【請求項８】
前記従機器は複数の候補から選択される色彩で各機器の前記操作部を照明するステップを含み、
前記複数の候補は、主機器の操作部の照明の色彩を選択する候補になく、主機器から伝達される設定内容と連動させるＬＩＮＫという候補を含み、
前記設定の内容は、どの前記色彩が選択さているかの情報を含むことを特徴とする請求項６又は７記載の車載用電子機器の制御方法。
【請求項９】
主機器と従機器の少なくとも一方を備え、
前記各機器は、
情報の表示を行うための表示部と、
操作を入力するための操作部と、
前記操作部の照明を行うための手段と、を備えた車載用電子機器を、コンピュータを用いて制御するための車載用電子機器制御用ソフトウェアを記録した記録媒体において、
そのソフトウェアは前記コンピュータに、
前記各機器において、前記表示及び／あるいは照明に関する複数の項目について制御を行わせ、
前記各機器において、前記制御の内容を受け付けさせ、
前記主機器は、従機器の有無、或いは前記主機器から前記従機器に伝達される各項目ごとの設定内容についての前記主機器と前記従機器との連動／非連動に関わらず、前記主機器における前記項目ごとの制御の内容について、前記従機器に対して伝達させること、及び、前記従機器は、前記各項目ごとの設定内容について連動／非連動の設定を行うことにより、前記主機器から伝達される前記主機器における項目ごとの設定内容に基づいて、前記制御を行うかどうかを選択を受け付けさせること、のうち少なくとも一方を含むことを特徴とする車載用電子機器制御用ソフトウェアを記録した記憶媒体。
【発明の詳細な説明】
【０００１】
【発明の属する技術分野】
本発明は、車載用電子機器の技術の改良に関するもので、特に、連動／非連動を自由に選択できるようにしたものである。
【０００２】
【従来の技術】
近年、電子技術の発達に伴い、カーオーディオシステムに代表される車載用電子機器が普及している。車載用電子機器の形態としては、１ＤＩＮ＋１ＤＩＮのようにユニットを複数接続するものが知られている。ここで、１ＤＩＮとは、自動車のコンソールパネルに設けられた所定のサイズの収納部であり、例えば１ＤＩＮ＋１ＤＩＮは、そのような収納部に収まるサイズのユニットを２つ接続するものである。このような各ユニットは、主機器や従機器、センターユニットやスレーブユニットなどと呼ばれ、従機器やスレーブユニットは複数存在する場合もある。
【０００３】
また、上記のような複数のユニット間における連動機能も知られている。この連動機能は、１つのユニットで行った画面表示モードなどの設定を他のユニットにも反映させるもので、ユニットごとに同じ設定操作を操り返す必要をなくす利点がある。
【０００４】
【発明が解決しようとする課題】
しかしながら、上記のような従来技術では、連動機能のＯＮ／ＯＦＦがコスト高を招くため採用困難であり、ユーザの好みや用途などの事情に応じた利用が困難という問題点があった。
【０００５】
すなわち、表示などについて連動の対象となりうる項目は各種考えられるが、項目によっては連動が可能であっても非連動が望ましいものも考えられる。例えば、スペアナ表示振れレベルの調整（ＡＮＡ−ＳＥＮＳなどと呼ばれる）、表示明度（ＤＩＭＭＥＲ、ＤＩＭＭＥＲ値、表示ＤＩＭＭＥＲ値などと呼ばれる）、表示コントラスト値（ＣＯＮＴＲＡＳＴなどと呼ばれる）について、連動させることは可能であるが、例えば次のような理由により非連動とし、センターユニット側とスレーブユニット側でそれぞれ調整操作メニューなどを設け別個独立に調整操作を行なうことも考えられる。
【０００６】
まず、スペアナ表示振れレベルの調整については、センターユニット側とサブユニット側との間で、それぞれ異なったスペアナ表示の種類や動きを利用したい場合が考えられる。また、表示ＤＩＭＭＥＲ値や表示コントラスト値については、表示器のパネル部分が電動フラップ機構により角度を変えられる場合、角度を変えたとき視覚上の表示濃さが変わるため必ずしも連動するのが適切とは限らない場合がある。
【０００７】
ところで、従来、このような連動に関連する機能はセンターユニット側で実現しており、仮に連動機能のＯＮ／ＯＦＦを可能にしようとする場合、このＯＮ／ＯＦＦに関するキー操作・表示・制御等の機能もセンターユニット側に設け、連動機能をＯＦＦにした場合は、スレーブユニットで固有の設定を行なう必要があった。
【０００８】
この結果、センターユニットをスレーブユニットなしで単独で使用したり（スタンドアローン）、連動機能を持たないスレーブユニットと組み合わせて用いる場合は、連動機能やそのＯＮ／ＯＦＦの操作を禁止する仕組みが別途必要であった。しかし、このような仕組みをセンターユニットに追加するには、マイコン用のＲＯＭやＲＡＭの必要容量、開発の工数や日程などを増大させるため大幅なコストアップを生じる。このため、連動機能をＯＮ／ＯＦＦする機能の導入は事実上不可能であり、連動機能を持たせるかどうかは仕様上固定せざるを得ず、項目に応じて連動又は個別動作の二者択一を余儀なくされていた。
【０００９】
しかしながら、使用の状況や環境、ユーザの好みや用途といった事情によっては、連動項目についても非連動が望まれたり、その逆もありうる。ユーザはこのような場合、従来では、連動でよいと考える項目についてもユニットごとに同じ調整操作を余儀なくされ、また、別々に調整設定したいと考える項目についても意に反して連動動作の利用を余儀なくされていたため、使い勝手が悪いという問題点があった。
【００１０】
本発明は、上記のような従来技術の問題点を解決するために提案されたもので、その目的は、連動／非連動を自由に選択できる車載用電子機器の技術すなわち車載用電子機器及びその制御方法並びに車載用電子機器制御用ソフトウェアを記録した記録媒体を提供することである。本発明の他の目的は、単純なユニット間インタフェースにより連動／非連動の選択を可能にする車載用電子機器の技術を提供することである。また、本発明の他の目的は、一貫したわかりやすいユーザインタフェースで連動／非連動を選択できる車載用電子機器の技術を提供することである。
【００１１】
上記の目的を達成するため、請求項１の車載用電子機器は、主機器と従機器とを備え、
前記各機器は、情報の表示を行うための表示部と、操作を入力するための操作部と、前記操作部の照明を行うための手段と、前記表示及び／あるいは照明に関する複数の項目について制御を行う手段と、前記制御を行う手段において項目ごとに制御の内容を設定するための手段と、を備え、前記主機器は、従機器の有無、或いは前記主機器から前記従機器に伝達される各項目ごとの設定内容についての前記主機器と前記従機器との連動／非連動に関わらず、前記主機器における前記項目ごとの制御の内容について、前記従機器に対して伝達するための手段を備え、前記従機器は、前記各項目ごとの設定内容について連動／非連動の設定を行うことにより、前記主機器から伝達される前記主機器における項目ごとの設定内容に基づいて、前記制御を行うかどうかを選択するための連動選択手段を備えたことを特徴とする。
請求項２の車載用電子機器は、請求項１の発明を主機器についてとらえたもので、情報の表示を行うための表示部と、操作を入力するための操作部と、前記操作部の照明を行うための手段と、前記表示及び／あるいは照明に関する複数の項目について制御を行う手段と、前記制御を行う手段において項目ごとに制御の内容を設定するための手段と、を備え、主機器として従機器と接続されるように構成され、前記主機器は、従機器の有無、或いは前記主機器から前記従機器に伝達される各項目ごとの設定内容についての前記主機器と前記従機器との連動／非連動に関わらず、前記主機器における前記項目ごとの制御の内容について、前記従機器に対して伝達するための手段を備えたことを特徴とする。
請求項３の車載用電子機器は、請求項１の発明を従機器についてとらえたもので、情報の表示を行うための表示部と、操作を入力するための操作部と、前記操作部の照明を行うための手段と、前記表示及び照明のうち少なくとも一方に関する制御を行う手段と、前記制御の内容を設定するための手段と、を備え、従機器として主機器と接続されるように構成され、前記従機器は、前記各項目ごとの設定内容について連動／非連動の設定を行うことにより、前記主機器から伝達される前記主機器における項目ごとの設定内容に基づいて、前記制御を行うかどうかを選択するための連動選択手段を備えたことを特徴とする。
請求項６の発明は、請求項１，２，３の発明を方法という見方から捉えたもので、
主機器と従機器の少なくとも一方を備え、前記各機器は、情報の表示を行うための表示部と、操作を入力するための操作部と、前記操作部の照明を行うための手段と、を備えた車載用電子機器の制御方法において、前記各機器において、前記表示及び／あるいは照明に関する複数の項目について制御を行うステップと、前記各機器において、前記制御の内容を項目ごとに設定するためのステップと、を含み、前記主機器は、従機器の有無、或いは前記主機器から前記従機器に伝達される各項目ごとの設定内容についての前記主機器と前記従機器との連動／非連動に関わらず、前記主機器における前記項目ごとの制御の内容について、前記従機器に対して伝達するためのステップ、及び、前記従機器は、前記各項目ごとの設定内容について連動／非連動の設定を行うことにより、前記主機器から伝達される前記主機器における項目ごとの設定内容に基づいて、前記制御を行うかどうかを選択するためのステップのうち少なくとも一方を含むことを特徴とする。
請求項９の発明は、請求項１，２，３，６の発明を、コンピュータのソフトウェアを記録した記録媒体という見方から捉えたもので、主機器と従機器の少なくとも一方を備え、前記各機器は、情報の表示を行うための表示部と、操作を入力するための操作部と、前記操作部の照明を行うための手段と、を備えた車載用電子機器を、コンピュータを用いて制御するための車載用電子機器制御用ソフトウェアを記録した記録媒体において、そのソフトウェアは前記コンピュータに、前記各機器において、前記表示及び／あるいは照明に関する複数の項目について制御を行わせ、前記各機器において、前記制御の内容を受け付けさせ、前記主機器は、従機器の有無、或いは前記主機器から前記従機器に伝達される各項目ごとの設定内容についての前記主機器と前記従機器との連動／非連動に関わらず、前記主機器における前記項目ごとの制御の内容について、前記従機器に対して伝達させること、及び、前記従機器は、前記各項目ごとの設定内容について連動／非連動の設定を行うことにより、前記主機器から伝達される前記主機器における項目ごとの設定内容に基づいて、前記制御を行うかどうかを選択を受け付けさせること、のうち少なくとも一方を含むことを特徴とする。
請求項１，２，３，６，９の発明では、連動／非連動の選択とそれに応じて動作を変える機能を従機器に設けたことで、主機器自体ではそのような機能は不要となる。このため、主機器のコストアップを避けながら、ユーザは、好みや用途などの事情に合わせて連動と非連動を自由に選択することが可能となる。
また、操作の点についても、スレーブユニットなどの従機器において、メニュー項目などでＬＩＮＫなどの項目で連動をさせるか否かをユーザに選択させればよく、連動のときでも非連動のときでも、他の項目については主機器と従機器の調整操作手順が統一できる。このため、操作がわかりやすくなるだけでなく、例えば連動と非連動を項目によって使い分けるなどきめ細かな調整操作も可能となる。
また、このように主機器と従機器との間で、操作などの動作が統一化されることで、マイクロコンピュータやそのためのソフトウェア、周辺回路などの構成が共通となり、設計／開発の共通点が増えるため工数が削減される。また、システム全体として連動機能を導入するかどうかも、組み合わせる従機器の選定のみで対応できる。このため、システムの新規導入やシステムアップ時にも、連動に関する主機器の設定は不要になる。
さらに、ユニット間バスなどの単純なユニット間インタフェースにより、従来から連動対象となってきた既存の設定項目だけでなく、表示部に背景として表示される色や模様、操作部の照明（イルミネーションと呼ばれる）の色といった所望の設定項目についても、連動／非連動の選択対象として追加でき、連動ＯＮ／ＯＦＦ機能を追加できる。さらに、今後新規に提案される所望の設定項目についても、同様の操作やインタフェースで追加することが可能である。
【００１２】
請求項４の発明は、請求項１から３のいずれか１つに記載の車載用電子機器において、前記従機器は複数の候補から選択されるバックグラウンド表示内容を前記表示部に背景として表示する手段を備え、前記複数の候補は、主機器の背景を選択する候補になく、主機器から伝達される設定内容と連動させるＬＩＮＫという候補を含み、前記設定の内容は、どのバックグラウンド表示内容が選択さているかの情報を含むことを特徴とする。
請求項７の発明は、請求項４の発明を方法という見方から捉えたもので、請求項６記載の車載用電子機器の制御方法において、前記従機器は複数の候補から選択されるバックグラウンド表示内容を前記表示部に背景として表示するステップを含み、、前記複数の候補は、主機器の背景を選択する候補になく、主機器から伝達される設定内容と連動させるＬＩＮＫという候補を含み、前記設定の内容は、どのバックグラウンド表示内容が選択さているかの情報を含むことを特徴とする。
請求項４，７の発明では、パソコン用ＯＳにおける壁紙のように、表示部に表示される背景を色彩や模様の候補から選択できるだけでなく、この選択を主機器と従機器で別個独立に行うか、主機器の設定を従機器にも反映させ連動させるかについても、自由に選択することが可能となる。
【００１３】
請求項５の発明は、請求項１から４のいずれか１つに記載の車載用電子機器において、前記従機器は複数の候補から選択される色彩で各機器の前記操作部を照明する手段を備え、前記複数の候補は、主機器の操作部の照明の色彩を選択する候補になく、主機器から伝達される設定内容と連動させるＬＩＮＫという候補を含み、前記設定の内容は、どの前記色彩が選択さているかの情報を含むことを特徴とする。
請求項８の発明は、請求項５の発明を方法という見方から捉えたもので、請求項６又は７記載の車載用電子機器の制御方法において、前記従機器は複数の候補から選択される色彩で各機器の前記操作部を照明するステップを含み、前記複数の候補は、主機器の操作部の照明の色彩を選択する候補になく、主機器から伝達される設定内容と連動させるＬＩＮＫという候補を含み、前記設定の内容は、どの前記色彩が選択さているかの情報を含むことを特徴とする。
請求項５，８の発明では、ＬＥＤの透過光などによる操作部の照明の色について、候補から選択できるだけでなく、この選択を主機器と従機器で別個独立に行うか、主機器の設定を従機器にも反映させ連動させるかについても、自由に選択することが可能となる。
【００１４】
【発明の実施の形態】
次に、本発明の実施の形態（以下「実施形態」と呼ぶ）について図面を参照して具体的に説明する。なお、本実施形態のうち情報処理に関する部分は、典型的には、コンピュータをソフトウェアで制御することで実現される。この場合のソフトウェアは、コンピュータのハードウェアを物理的に活用することで本発明の作用効果を実現するもので、また、従来技術との共通部分には従来技術も適用される。
【００１５】
但し、この場合のハードウェアやソフトウェアの種類や構成、ソフトウェアで処理する範囲などは各種変更可能であり、例えばこのようなソフトウェアを記録したＣＤ−ＲＯＭ、ＲＯＭチップパッケージ、メモリカード、ＩＣカードなどの記録媒体も本発明の一態様である。このため、以下の説明では、本発明及び実施形態の各機能を実現する仮想的回路ブロックを用いる。
【００１６】
〔１．構成〕
本実施形態は、複数の機器を備えたカーオーディオシステムなどの車載用電子機器（以下本システムと呼ぶ）と、本システム上で実行される車載用電子機器の制御方法であり、車載用電子機器制御用ソフトウェアを記録した記録媒体として把握することもできる。
【００１７】
まず、本システムは、図１の概念図に示すように、主機器であるセンターユニット１と、従機器であるスレーブユニット２とを、ユニットをまたがるバス（ＢＵＳ）で結線したものである。また、このバスはセンターユニット１とスレーブユニット２とにそれぞれ設けられた図示しないＣＰＵ同士を接続している。また、センターユニット１及びスレーブユニット２は、それらＣＰＵと、メモリなどの周辺回路と、ソフトウェアとの作用により、図２の機能ブロック図に示すように、共通の構成部分として、表示部３と、操作部４と、照明部５と、制御部６と、設定部７と、を備えている。
【００１８】
このうち表示部３は、液晶ディスプレイパネルなどを用いて情報の表示を行うための部分であり、センターユニット１の表示部３は主表示器とも呼び、スレーブユニット２の表示部３は従表示器とも呼ぶ。また、操作部４は、押しボタンやジョイスティックなどを用いて操作などの情報を入力するための部分である。また、照明部５は、ＬＥＤによる透過光などを用いて操作部４の各部を照明する手段であり、この照明には、例えば操作キーごとの機能の文字表示や絵表示などが含まれる。
【００１９】
また、制御部６は、表示部３における表示及び照明部５における照明に関する制御を行う手段である。また、設定部７は、制御部６による制御の内容を設定するための手段であり、この設定は例えば、表示部３にメニュー表示される画面から、操作部４により所望の設定対象項目（調整操作項目とも呼ぶ）やその設定値を選択することによって実現される。
【００２０】
また、制御部６は、壁紙制御部６１とイルミ制御部６２とを備えている。このうち壁紙制御部６１は、複数の候補から選択されるバックグラウンド表示内容を表示部３に背景として表示する手段である。ここで、バックグラウンド表示内容は、例えば黒系画面や青系画面などの候補から選択される背景（仮に「壁紙」とも呼ぶ）であり、壁紙に関する項目を「ＢＧ  ＣＯＬＯＲ」と表す。
【００２１】
また、イルミ制御部６２は、複数の候補から選択される色彩で操作部４を照明する手段である。この照明の色彩は、アンバーやグリーンなどの候補から選択され、例えばセンターユニット１とスレーブユニット２とで同じ色彩を用いた照明などに用いられる。このため、仮に「ダブルイルミ」と呼び、対応する項目を「ＩＬＬＵＭＩ」と表す。
【００２２】
また、これら壁紙制御部６１及びイルミ制御部６２に対応し、前記設定の内容は、背景用にどのバックグラウンド表示内容が選択されているかの情報項目と、照明用にどの色彩が選択されているかの情報項目を含む。また、設定の内容に含まれる他の項目としては、スペアナ表示振れレベル（仮に「ＡＮＡ  ＳＥＮＳ」と表す）、表示コントラスト値（仮に「ＣＯＮＴＲＡＳＴ」と表す）、表示ディマーレベル値（仮に「ＤＩＭＭＥＲ  ＬＶ．」と表す）などがある。これら設定の内容に含まれる各項目は、制御部６による制御の対象となり、設定部７による設定の対象となる。
【００２３】
また、センターユニット１は、特有の構成部分として、設定部７による設定の内容をスレーブユニット２へ伝達する手段である伝達部１８を備えている。一方、スレーブユニット２は、特有の構成部分として、連動選択部２９を備え、この連動選択部２９は、センターユニット１から伝達される設定の内容にしたがった制御を行うかどうかを、項目ごとに選択するための連動選択手段である。なお、センターユニット１及びスレーブユニット２は、上記以外にもＤＳＰ（デジタルシグナルプロセッサ／デジタルサウンドプロセッサ）３０といった他の構成部分を備えている。
【００２４】
また、図１は、センターユニット１及びスレーブユニット２について、それぞれ、表示部３に含まれるディスプレイ画面Ｄ１，Ｄ２と、操作部４に含まれる操作キー群Ｋ１，Ｋ２と、を示している。
【００２５】
各キーのうち「ＡＤＪ」と表示されたキーは、調整操作画面に遷移したり、調整操作を終了するためのキーである。また、上下左右それぞれの矢印が表示された各キーは、調整操作画面上で操作カ−ソルの移動及び調整操作項目のパラメータ変更を行うためのキーである。「ＥＮＴ」と表示されたキーは、調整操作確定キーであり、調整操作項目によっては必ずしも用いる必要はない。また、ディスプレイ画面Ｄ１，Ｄ２で反転表示されている項目は、キー操作における調整対象等のカーソル位置を示す。
【００２６】
〔２．作用〕
上記のように構成された本実施形態は次のように作用する。
〔２−１．作用の概略〕
まず、連動機能については（図２）、スレーブユニット２の連動選択部２９により、調整操作項目ごとに連動機能のＯＮ／ＯＦＦを設定することが必要である。そして、連動機能ＯＮの項目については、センターユニット１の伝達部１８及びスレーブユニット２の連動選択部２９及び制御部６などの作用により、センターユニット１での設定内容がスレーブユニット２にも共通に適用される。
【００２７】
また、連動機能ＯＦＦの項目については、センターユニット１とスレーブユニット２で別個独立に調整操作が必要である。すなわち、ＯＮ／ＯＦＦの設定に応じて異なった調整操作となる。
【００２８】
具体的には、スレーブユニット２側において項目ごとの設定値（パラメータとも呼ぶ）の中に「連動ＯＮ」を意味する項目（「ＬＩＮＫ」と表す）があり、その他の設定値は「連動ＯＦＦ」を意味し、特に「連動ＯＦＦ」という項目を積極的に設ける必要はない。
【００２９】
これにより、連動機能ＯＮ／ＯＦＦをＯＮしたときについて、センターユニット１とスレーブユニット２で個別に、キーを無効にするなど調整操作を不可能にする仕組みは不要になる。また、連動機能ＯＮ／ＯＦＦを行う機能はスレーブユニット２が持っているため、スレーブユニット２が未接続の時は連動機能ＯＮ／ＯＦＦに関する操作は当然不可能であるから、同様の不可能にする仕組みは必要無い。
【００３０】
〔２−２．調整操作項目の内容〕
ここで、センターユニット１における各調整操作項目と、項目ごとの設定値の内容を図３に示す。また、スレーブユニット２における各調整装置項目と、項目ごとの設定値の内容を図４に示す。
【００３１】
〔２−３．連動の場合の操作〕
そして、ある項目を「連動」にする場合、スレーブユニット２において設定部７及び連動選択部２９の作用により、設定値を「ＬＩＮＫ」にする。例えば「壁紙」を連動にするなら項目「ＢＧ  ＣＯＬＯＲ」の設定値を「ＬＩＮＫ」にする（図４で四角で囲んだ項目４）。この操作により、センターユニット１の伝達部１８及びスレーブユニット２の連動選択部２９及び制御部６などの作用により、スレーブユニット２にはセンターユニット１側と同じ設定内容が反映される。なお、各項目の初期値（出荷設定）については、例えば連動動作の方がユーザにとってメリットが多い場合は「ＬＩＮＫ」にしておけば、上記のような連動にするための操作は省略できる。
【００３２】
続いて、センターユニット１側の調整操作項目について、センターユニット１の設定部７の作用により、所望の設定値を選択する。例えば「壁紙」を黒系画面にするときは項目「ＢＧ  ＣＯＬＯＲ」の設定値を「ＢＬＣＫ」にする（図３の項目▲４▼）。なお、上記のようなスレーブユニット２とセンターユニット１の設定はどちらを先に行ってもよいが、ある項目についてセンターユニット１で設定値を選択したとき既にスレーブユニット２の設定値が「ＬＩＮＫ」になっていれば、センターユニット１での設定内容がスレーブユニット２にも反映される。
【００３３】
〔２−４．非連動の場合の操作〕
また、ある項目を「非連動」にする場合、スレーブユニット２において設定部７及び連動選択部２９の作用により、「ＬＩＮＫ」以外の所望の設定値にする。例えば「壁紙」を非連動にするなら項目「ＢＧ  ＣＯＬＯＲ」を例えば「ＢＬＵＥ」などにする（図４で四角で囲んだ項目４）。
【００３４】
この操作により、スレーブユニット２では、連動選択部２９、設定部７及び制御部６などの作用により、センターユニット１の設定内容に関わらずスレーブユニット２固有の設定値が適用される。また、非連動として選択された項目についても、センターユニット１においてスレーブユニット２とは無関係に、設定部７の作用により所望の設定値が選択できる。例えば、「壁紙」を黒系画面にするときは項目「ＢＧ  ＣＯＬＯＲ」を「ＢＬＣＫ」にする（図３の項目▲４▼）。この場合も、スレーブユニット２での操作とセンターユニット１での操作はどちらを先に行ってもよい。
【００３５】
〔２−５．壁紙の表示例〕
以上のように連動や非連動の対象となる壁紙の内容は、図５に示すように黒系と青系などに応じ異なった模様を持っていてもよい。また、各色系ごとの壁紙の内容は、センターユニット１とスレーブユニット２とで同一の必要はなく、例えば図５（１）及び図５（２）に示すように、同じ色系でもセンターユニット１とスレーブユニット２とで異なった模様としてもよい。なお、図５（１）及び図５（２）に示したような壁紙の内容を背景として、再生中の楽曲名や再生時間といった他の情報が表示され、実際の表示画面は図５（３）に例示するようなものとなる。
【００３６】
〔２−６．ユニット間で伝達される情報〕
次に、上記のような作用を実現するためにユニット間のバス通信インタフェースにより伝達が必要な情報を図６及び図７に示す。すなわち、本実施形態において、センターユニット１は、図６に示すように、スレーブユニット２における設定内容に関する情報は全く必要としないため、スレーブユニット２からセンターユニット１ヘの設定内容伝達用のインタフェースは不要である。
【００３７】
一方、スレーブユニット２では、図７に示すように、連動が選択された項目についてセンターユニット１における設定値を必要とする。このため、センターユニット１の伝達部１８は、各項目の設定内容について、スレーブユニット２の有無や連動／非連動を問わず、スレーブユニット２ヘ常時設定値を送信すればよい。そして、スレーブユニット２側では、連動選択部２９及び制御部６の作用により、連動すなわち「ＬＩＮＫ」が選択されている項目については、センターユニット１から送信されてくる設定値を用いて制御が行われる。
【００３８】
〔２−７．具体的処理手順〕
次に、上記のような表示を実現するためのより具体的な処理手順を図８に示す。すなわち、センターユニット１では、設定部７において例えば「壁紙」に関する調整操作があると（ステップ１１）、伝達部１８がその調整操作による設定内容を表す情報をスレーブユニット２へバスＢ経由で送信したうえ（ステップ１２）、制御部６の壁紙制御部６１が調整操作に基づいた設定（調整操作設定と呼ぶ）及びディスプレイ画面Ｄ１における表示の更新を行う（ステップ１３）。
【００３９】
一方、スレーブユニット２では、センターユニット１からの情報（センターユニット情報と呼ぶ）を受信したときや（ステップ２１）、スレーブユニット２自体で調整操作が行われたとき（ステップ２２）、連動選択部２９及び制御部６の作用により、その項目の設定値が「ＬＩＮＫ」かどうか判断される（ステップ２３）。この結果「ＬＩＮＫ」であれば（ステップ２４）、連動動作はＯＮであるからセンターユニット１から送られた設定値で調整操作設定を行い、さらにディスプレイ画面Ｄ２における表示更新を行う（ステップ２４）。
【００４０】
一方、その項目の設定値が「ＬＩＮＫ」でなければ（ステップ２３）連動動作はＯＦＦであるから、スレーブユニット２独自の設定値で調整操作設定及び表示更新を行う（ステップ２５）。
【００４１】
〔２−８．ダブルイルミの例〕
また、上記図８のフローチャートは、項目「壁紙」に関する処理手順を示したものであるが、キーなど操作部４の照明すなわちダブルイルミ「ＩＬＬＵＭＩ」についても、図９のフローチャートに示すように、イルミ制御部６２を含む同様の処理手順により連動／非連動の選択が実現できる。
【００４２】
〔３．効果〕
以上のように、本実施形態では、連動／非連動の選択とそれに応じて動作を変える連動選択部２９をスレーブユニット２に設けたことで、センターユニット１自体ではそのような機能は不要となる。このため、センターユニット１のコストアップを避けながら、ユーザは、好みや用途などの事情に合わせて連動と非連動を自由に選択することが可能となる。
【００４３】
また、操作の点についても、スレーブユニット２側で連動選択部２９の作用により、メニュー項目におけるＬＩＮＫなどの項目により連動をさせるか否かをユーザに選択させればよく、連動のときでも非連動のときでも、他の項目についてはセンターユニット１とスレーブユニット２の調整操作手順が統一できる。このため、操作がわかりやすくなるだけでなく、例えば連動と非連動を項目によって使い分けるなどきめ細かな調整操作も可能となる。
【００４４】
また、このようにセンターユニット１とスレーブユニット２との間で、操作などの動作が統一化されることで、マイクロコンピュータやそのためのソフトウエア、周辺回路などの構成が共通となり、設計／開発の共通点が増えるため工数が削減される。また、システム全体として連動機能を導入するかどうかも、組み合わせるスレーブユニット２の選定のみで対応できる。このため、システムの新規導入やシステムアップ時にも、連動に関するセンターユニット１の設定は不要になる。
【００４５】
さらに、ユニット間バスなどの単純なユニット間インタフェースにより、従来から連動対象となってきた既存の設定項目だけでなく、表示部に背景として表示される壁紙の色や模様、操作部のダブルイルミの色といった所望の設定項目についても、連動／非連動の選択対象として追加でき、連動ＯＮ／ＯＦＦ機能を追加できる。さらに、今後新規に提案される所望の設定項目についても、同様の操作やインタフェースで追加することが可能である。
【００４６】
また、本実施形態では、壁紙制御部６１の作用により、パソコン用ＯＳにおける壁紙のように、表示部３に表示される背景を色彩や模様の候補から選択できるだけでなく、この選択をセンターユニット１とスレーブユニット２で別個独立に行うか、センターユニット１の設定をスレーブユニット２にも反映させ連動させるかについても、自由に選択することが可能となる。
【００４７】
また、本実施形態では、イルミ制御部６２の作用により、ＬＥＤの透過光などによる操作部の照明の色について、候補から選択できるだけでなく、この選択をセンターユニット１とスレーブユニット２で別個独立に行うか、センターユニット１の設定をスレーブユニット２にも反映させ連動させるかについても、自由に選択することが可能となる。
【００４８】
〔４．他の実施形態〕
なお、本発明は上記実施形態に限定されるものではなく、次に例示するような他の実施形態も含むものである。例えば、調整操作項目は上記実施形態に示した項目には限定されず、自由に決定することができる。また、センターユニットなどの主機器と、スレーブユニットなどの従機器は、単独で実施した場合もそれぞれ本発明の態様である。
【００４９】
【発明の効果】
以上のように、本発明によれば、連動／非連動を自由に選択できる車載用電子機器の技術すなわち車載用電子機器及びその制御方法並びに車載用電子機器制御用ソフトウェアを記録した記録媒体を提供することができるので、カーオーディオシステムに代表される各種車載用電子機器の使い勝手が向上する。
【図面の簡単な説明】
【図１】本発明の実施形態の構成を示す概念図。
【図２】本発明の実施形態の構成を示す機能ブロック図。
【図３】本発明の実施形態について、センターユニットにおける調整操作項目と各項目の設定値を示す概念図。
【図４】本発明の実施形態について、スレーブユニットにおける調整操作項目と各項目の設定値を示す概念図。
【図５】本発明の実施形態における壁紙の例を示す図。
【図６】本発明の実施形態について、センターユニットにおける調整操作項目ごとに、必要なスレーブユニットからの情報を示す概念図。
【図７】本発明の実施形態について、スレーブユニットにおける調整操作項目ごとに、必要なセンターユニットからの情報を示す概念図。
【図８】本発明の実施形態における項目「壁紙」に関する処理手順を示すフローチャート。
【図９】本発明の実施形態における項目「ダブルイルミ」に関する処理手順を示すフローチャート。
【符号の説明】
１…センターユニット
２…スレーブユニット
３…表示部
４…操作部
５…照明部
６…制御部
６１…壁紙制御部
６２…イルミ制御部
７…設定部
１８…伝達部
２９…連動選択部
Ｄ１，Ｄ２…ディスプレイ画面
Ｋ１，Ｋ２…操作キー
Ｂ…バス
【図１】
0004651154.tif 000002
【図２】
0004651154.tif 000003
【図３】
0004651154.tif 000004
【図４】
0004651154.tif 000005
【図５】
0004651154.tif 000006
【図６】
0004651154.tif 000007
【図７】
0004651154.tif 000008
【図８】
0004651154.tif 000009
【図９】
0004651154.tif 000010